(57)【要約】【課題】薬液処理の透過性を改良した医療検査用カセットを提供する。【解決手段】耐薬品性材料からなるカセット本体１と蓋２とを具備してなり、カセット本体１が上面を開放し、検体を収容し得る方形の容器で、多数の透孔３を有し、蓋２がカセット本体１に着脱自在に取り付けられ、多数の透孔７を有してなる医療検査用カセットにおいて、前記蓋２の表面の縦、横の外側から１／５〜１／３の矩形枠状の範囲内に少なくとも３個の空間部形成用突起１４、１５を設けている。これによって、上下のカセットに１／５〜１／３のずれが生じても、カセット間に均一な空間部が形成維持されるので、薬液の透過性、拡散性及び検体との接触性が飛躍的に高められる。【選択図】図２
2005083787.tif 000002
【特許請求の範囲】
【請求項１】
耐薬品性材料からなるカセット本体と蓋とを具備してなり、前記カセット本体が上面を開放し、検体を収容し得る方形の容器で、多数の透孔を有し、前記蓋がカセット本体に着脱自在に取り付けられ、多数の透孔を有してなる医療検査用カセットにおいて、前記蓋の表面の縦、横の外側から１／５〜１／３の矩形枠状の範囲内に少なくとも３個の空間部形成用突起を三角形の頂点を形成するように設けたことを特徴とする医療検査用カセット。
【請求項２】
矩形枠状の範囲内の一つの枠辺内の略中央に１個の空間部形状用突起を設け、対向する他の枠辺の両端部付近に各１個の空間部形成用突起を設けた請求項１記載の医療検査用カセット。
【請求項３】
耐薬品性材料からなるカセット本体と蓋とを具備してなり、前記カセット本体が上面を開放し、検体を収容し得る方形の容器で、多数の透孔を有し、前記蓋がカセット本体に着脱自在に取り付けられ、多数の透孔を有してなる医療検査用カセットにおいて、前記蓋の表面の縦、横の外側から１／５〜１／３の矩形枠状の範囲内に少なくとも４個の空間部形成用突起を四角形の角部を形成するように設けたことを特徴とする医療検査用カセット。
【請求項４】
矩形枠状の範囲内の四つの角部付近に各１個の空間部形状用突起を設けた請求項３記載の医療検査用カセット。
【請求項５】
更に、蓋の外側の少なくとも四角付近に空間部形成用突起を各１個設けた請求項１又は２記載の医療検査用カセット。
【請求項６】
カセット本体が仕切璧により複数個の小室に区画されている請求項１〜５のいずれか１項に記載の医療検査用カセット。
【請求項７】
蓋及び／又はカセット本体が耐薬品性の透明材料からなる請求項１〜６のいずれか１項に記載の医療検査用カセット。
【請求項８】
透明材料がポリプロピレン樹脂である請求項１〜７のいずれか１項に記載の医療検査用カセット。
【請求項９】
透明材料がポリエステル樹脂である請求項１〜７のいずれか１項に記載の医療検査用カセット。
【発明の詳細な説明】
【技術分野】
【０００１】
本発明は、医療検査用顕微鏡標本の作製に使用する医療検査用カセットに関し、更に詳しくは、蓋の表面に空間部形成用突起を設け、カセットを積み重ねて、又は並接して薬液処理を施す際の薬液の透過性を改良した医療検査用カセットに関する。
【背景技術】
【０００２】
従来のこの種のカセットは、例えば、図１３に示すように、耐薬品性合成樹脂からなるカセット本体１と蓋２とを具備してなる。カセット本体１は、上面を開放した方形の容器で、底部に多数の透孔３を有し、短辺側の一側壁の外側に底部に向かって末広がり状に傾斜した板状の記録部４を設け、その内側に係止溝５を有し、他の側壁の外側に係止部６を有する。
【０００３】
蓋２は、着脱可能な板状体で、板面に多数の透孔７を有し、裏面の外周面に沿ってカセット本体内に嵌合するリブ８を有し、短辺側の一方側には前記係止溝５の記録部４の裏面に沿って嵌入係合する傾斜状係止片９を有し、短辺側の他方側にはカセット本体１よりも僅かに大き目の突縁部１０を有し、係合部６と係合する係止片１１を有している（例えば、特許文献１参照）。
【０００４】
上記カセットを使用して顕微鏡標本を作製するには、まず、採取した検体１２をカセット本体１内に収容して蓋２を取り付け、記録部４に被検者の氏名等を記録しておく。蓋２の傾斜状係止片９は、カセット本体１の係止溝5 に係合し、また係止片１１はカセット本体１の係止部６に係合して蓋２を固定する。
【０００５】
続いて、透孔７、３を通じて、検体１２を水洗し、次いでアルコールにより検体１２の水分を除去し、キシレンにより後述する液状パラフィンとの親和性を付与する。
次に、図示しないが、検体１２を包埋したパラフィンがカセット本体１の底部に付着してなるカセットブロックを得、ミクロトームでパラフィンの検体１２を包埋した部分をスライスし、スライスした薄片に染色、その他の所定の処理を施すことにより顕微鏡標本を得るのである。
【特許文献１】特開２００２−５８００号公報（図２９、図１参照）
【発明の開示】
【発明が解決しようとする課題】
【０００６】
しかしながら、カセットは、通常、複数個を積み重ねたり並接して上記した薬液処理がなされるが、図１３に示したような従来のカセットの場合は、上部又は隣のカセットの底面と下部又は隣のカセットの蓋の表面とが密着するため、上部又は隣のカセットの蓋２の透孔７及びカセット本体１の透孔３を透過した薬液がそのまま下部又は隣のカセットの蓋２の透孔７からカセット本体１内に流入して検体１２を処理した後、カセット本体１の透孔３から更に下部又は隣のカセットの蓋２の透孔７よりカセット本体１内に流入するという操作を繰り返すことになり、薬液の透過は略一方方向のみとなり、薬液処理は必ずしも十分に効率的であるとは云い難い。
【０００７】
上記問題を解決するために、図１４に示すように、蓋の表面の外側（図１４では四角）に識別表示１３を突設し、カセットを積み重ねた場合や並接した場合に、該識別表示１３によりカセット間に空間部（スペース）を形成させ、この空間部からも薬液をカセット内に流入させることにより、薬液の透過性を改善したカセットが報告されているが、上記の如く、蓋２の外側のみに識別表示１３のような突起を設けた場合は、図１５〜１７に示すように、積み重ねたカセットが少しずれただけで、上位カセットの上下又は左右のいずれかの側が下位カセットの突起上から脱落し、空間部形成の機能を果たすことができず、従って、薬液透過性は低下することが避けられない。また、脱落している側と脱落していない側とで空間部Ｓの大きさが異なるために薬液透過量に不均一が生じ、その結果、均一な薬液処理が不可能となるという問題をはらんでいる。さらに、これらの問題は、カセットを並接して薬液処理を施す場合にも生じる。
【０００８】
本発明は、上記の如き欠点を解消し、積み重ねたカセットや並接したカセットがずれてもカセットとカセットとの問に空間部が形成され、一方方向からのみならず、積み重ねた又は並接したカセットとカセットとの間からも薬液を流入させることにより、薬液処理が均一で且つ処理効率が改善された医療検査用カセットを提供することを目的とするものである。
【課題を解決するための手段】
【０００９】
上記目的を達成するために、本発明の請求項１に係る発明は、耐薬品性材料からなるカセット本体と蓋とを具備してなり、前記カセット本体が上面を開放し、検体を収容し得る方形の容器で、多数の透孔を有し、前記蓋がカセット本体に着脱自在に取り付けられ、多数の透孔を有してなる医療検査用カセットにおいて、前記蓋の表面の縦、横の外側から１／５〜１／３の矩形枠状の範囲内に少なくとも３個の空間部形成用突起を三角形の頂点を形成するように設けたことを特徴とする医療検査用カセットを内容とする。
【００１０】
本発明の請求項２に係る発明は、矩形枠状の範囲内の一つの枠辺内の略中央に１個の空間部形状用突起を設け、対向する他の枠辺の両端部付近に各１個の空間部形成用突起を設けた請求項１記載の医療検査用カセットを内容とする。
【００１１】
本発明の請求項３に係る発明は、耐薬品性材料からなるカセット本体と蓋とを具備してなり、前記カセット本体が上面を開放し、検体を収容し得る方形の容器で、多数の透孔を有し、前記蓋がカセット本体に着脱自在に取り付けられ、多数の透孔を有してなる医療検査用カセットにおいて、前記蓋の表面の縦、横の外側から１／５〜１／３の矩形枠状の範囲内に少なくとも４個の空間部形成用突起を四角形の角部を形成するように設けたことを特徴とする医療検査用カセットである。
【００１２】
本発明の請求項４に係る発明は、矩形枠状の範囲内の四つの角部付近に各１個の空間部形状用突起を設けた請求項３記載の医療検査用カセットである。
【００１３】
本発明の請求項５に係る発明は、更に、蓋の外側の少なくとも四角付近に空間部形成用突起を各１個設けた請求項１又は２記載の医療検査用カセットである。
【００１４】
本究明の請求項６に係る発明は、カセット本体が仕切璧により複数個の小室に区画されている請求項１〜５のいずれか１項に記載の医療検査用カセットである。
【００１５】
本究明の請求項７に係る発明は、蓋及び／又はカセット本体が耐薬品性の透明材料からなる請求項１〜６のいずれか１項に記載の医療検査用カセットである。
【００１６】
本究明の請求項８に係る発明は、透明材料がポリプロピレン樹脂である請求項１〜７のいずれか１項に記載の医療検査用カセットである。
【００１７】
本究明の請求項９に係る発明は、透明材料がポリエステル樹脂である請求項１〜７のいずれか１項に記載の医療検査用カセットである。
【発明の効果】
【００１８】
本発明の医療検査用カセットによれば、積み重ねた場合や並接した場合において、上下のカセットに相当大きなずれが生じても、蓋に設けた空間部形成用突起によりカセットとカセットとの間に空間部が形成されるので、薬液処理の際の薬液の透過性、拡散性、及び検体との接触性が飛躍的に高められ、均一、且つ効率的な薬液処理が可能となる。
【発明を実施するための最良の形態】
【００１９】
本発明は、耐薬品性材料からなるカセット本体と蓋とを具備してなり、カセット本体が上面を開放し、検体を収容し得る方形の容器で、多数の透孔を有し、前記蓋がカセット本体に着脱自在に取り付けられ、多数の透孔を有してなる医療検査用カセットにおいて、前記蓋の表面の縦、横の外側から該縦、横それぞれの長さの１／５〜１／３の矩形枠状の範囲内に少なくとも３個又は４個の空間部形成用突起を設けたことを特徴とするものである。
尚、本発明において、「縦、横の外側」とは、カセット本体との係合するための突出部や突縁部を除いた実質的に矩形の部分を指す。
【００２０】
空間部形成用突起は、蓋の表面の縦、横の外側から１／５〜１／３の矩形枠状の範囲内に設けられる。少なくとも３個の空間部形成用突起を設ける場合は、図１（ａ）に示すように、上記範囲で規定される矩形枠状の範囲内（図中の斜線の範囲）において、いずれか１つの枠辺内の略中央に１個の突起を設け、対向する他の枠辺の両端部付近にそれぞれ１個の突起を設け、実質的に２等辺三角形状に設けるのが好ましい。
【００２１】
また、少なくとも４個の空間部形成用突起を設ける場合は、図１（ｂ）に示すように、上記範囲で規定される矩形枠状の範囲内（図中の斜線の範囲）において、四つの角部付近にそれぞれ１個ずつ設けるのが好ましい。
【００２２】
尚、空間部形成用突起は上記範囲内に少なくとも突起の一部が入っておればよく、残りの部分が該領域外に食み出していても差し支えない。
【００２３】
上記の範囲内に上記の如く空間部形成用突起を設けることにより、蓋２の縦、横、斜に外側端から１／５〜１／３の距離においてずれが生じても、図１５〜１７に示したように、空間部が不均一となり、その結果、薬液透過量が不均一となり均一な薬液処理ができなくなるといったトラブルが防止される。
【００２４】
上記空間部形成用突起は、上記のように、カセットを積み重ねたり並接した場合において、カセットとカセットとの間に薬液を透過させるための空間部を形成させるためのものであり、その数の上限は特に制限されない。該空間部形成用突起は多い程良いが、金型が複雑となり、樹脂量が増加したり、また空間部形成用突起によって形成される空間部の流路抵抗が増大する等の不利益面があるので、これらを勘案して決定することが望ましい。
【００２５】
空間部形成用突起を少なくとも３個設ける場合は、必要に応じて、更に蓋の外側の少なくとも四角付近にも該突起を追加して設けるのが好ましい。
なお、本発明において、蓋の外側とは、透孔群の外側及びその近辺の部分を指し、残りの透孔群の部分を内側と称する。
【００２６】
空間部形成用突起は、好ましくは、少なくとも０．３ｍｍの高さ、より好ましくは、少なくとも０．５ｍｍの高さで設けられる。空間部形成用突起が０．３ｍｍよりも低くなると、カセットとカセットとの間に形成される空間部が小さくなり薬液の透過性の改善効果が不十分となる。尚、空間部形成用突起の高さの上限は、カセットの大きさにより一概には規定できないが、余り高くなると積み重ねたり並接した場合に場所をとり、処理効率が低下するとともに、取り扱い性も悪くなる。従って、１０ｍｍ程度が好ましい。
空間部形成用突起の形状は特に制限されず、例えば、円形、楕円形、矩形、多角形等のいずれでもよい。
【００２７】
本発明のカセットの材料は、標本作成に使用する化学薬品に対して耐性を有する合成樹脂や金属が好ましく、例えば、ポリアセタール、ポリアミド、ポリカーボネート、ポリエステル、ポリプロピレン、ステンレス等が挙げられる。また、カセット本体を樹脂で、蓋を金属で作ることもでき、更に、その逆も可能である。
【００２８】
また、カセット本体、蓋のいずれかが、又はその両方が透明材料で作成されることにより、蓋のみが透明材料からなる場合は蓋の外側から、また、カセット本体のみが透明材料からなる場合は、カセット本体（側壁又は底部）の外側から、更に、カセット本体と蓋の両方が透明材料からなる場合は、カセット本体及び蓋の両方の外側から、内部の検体の状況を視認することができる。即ち、カセット内部に収容した検体の状況（大きさ、個数、形状、色、カセット本体内での存在位置、濾紙とともに検体を収容した場合は、濾紙の位置、濾紙上の検体の方向等）を明確に視認することができ、顕微鏡標本作成の効率化、確実化を図るとともに、精度の高い検査結果を得ることができる。
【００２９】
透明材料としては、例えば、ポリプロピレン樹脂、ポリエステル（特にＰＥＴ）樹脂が好適であり、とりわけ耐薬品性に優れ低コストという点からポリプロピレン樹脂が好適である。
【００３０】
また、カセット本体を仕切壁で区画して複数個の小室にすることにより、同時に複数個の検体が処理されるので極めて効率的である。しかし、前記したように、既存のミクロトーム等の装置を使用する場合には、カセットの大きさに自ら制約があり、従って、複数個の小室を設ける場合は、２〜９個程度が好ましい。９個を越えると、小室のサイズが小さくなり過ぎ、収容、処理する検体のサイズも制限され不都合な場合がある。
【実施例】
【００３１】
以下、本発明の実施例を示す図面に基づいて詳細に説明するが、本発明はかかる実施例のみに限定されないことは云うまでもない。
【００３２】
実施例１
本実施例１の医療検査用カセットは、図２、図３に示すように、耐薬品性材料からなるカセット本体１と蓋２とを具備してなり、カセット本体１が、上面を開放した、検体を収容し得る方形の容器で、多数の透孔３を有し、短辺側の一側壁の外側に底部に向かって末広がり状に傾斜した板状の記録部４を備えるとともに、その内側に係止溝５を有し、他の側壁の外側に係止部６を有してなる。
【００３３】
一方、蓋２が多数の透孔７を有し、裏面の外周面に沿ってカセット本体１内に嵌合するリブ８を有し、短辺側の一方側には前記係止溝５に記録部４の裏面に沿って嵌入係合する傾斜状係止片９を、他方側にはカセット本体１よりも僅かに大き目の突縁部１０を有し、前記係止部６と係合する係止片１１を有してなる。
【００３４】
また、蓋２の表面の外側には、カセット本体１の底面に設けられた透孔３よりは大きく略直方体形状に形成されたリブ状の空間部形成用突起１４が、２個その突起長手側をカセットの短辺側と平行となるように、また、同一形状の空間部形成用突起１５が、１個その突起長手側をカセットの長辺側と平行になるように、且つ、前記蓋２の表面の縦、横の外側から、これら縦、横それぞれの長さの１／５〜１／３の範囲内に納まるように計３個を三角形の頂点を形成するように設けられている。尚、「蓋２の表面の外側」とは、図２に示すように、カセット本体１との係合のための係止片１１を有する突縁部１０や傾斜状係止片９を有する突出部等は除いた実質的に矩形の部分を指す。
【００３５】
また、図３に示したように、カセット本体１の内部には採取した検体が区分して入れられるように、仕切壁１６が立設されている。この場合、仕切壁１６によって形成される小室をさらに増加すのために、図３に示した２条の仕切壁１６と直交するように、カセット本体１を２等分して中央に１条、又は３等分して２条の横仕切壁１７を設けて小室を６個又は９個にすることもできる。
【００３６】
このように蓋２の表面の外側に三角形の頂点を形成する如く空間部形成用突起１４、１５を３カ所に設けるだけで、図４〜図６に示すように、積み重ねた又は並接したカセットが長辺方向、短辺方向に約１／５〜１／３の距離ずれたとしても、カセットとカセットとの間には空間部形成用突起１４、１５の高さに相当する均一な空間部Ｓが形成されるため、従来のカセットのように縦方向からのみの一方方向の流れや不均一な流れにはならず、横方向からの均一な薬液の流入・透過が可能となり、検体の薬液処理効果を均一且つ効率的にすることが可能となる。
【００３７】
また、本実施例においては、空間部形成用突起１４の形状を略直方体形状としたが、該突起の形状は特に制限されず、半楕円状や半円状、多角形状等としてもよく、また突起１４の上部先端部を透孔３の大きさよりは小さ目にして、突起１４の上部先端部が透孔３に係合するようにすることも可能であり、このような形態にすることにより上下に積載された際の容器同士の相互のずれがその摩擦力によりずれにくくなり、空間部形成の信頼性がさらに高くなるという効果がある。
【００３８】
以上、前述の実施例１では空間部形成用突起１４、１５を、蓋２の表面の縦、横の外側から１／５〜１／３の矩形枠状の範囲内に納まるように計３個設けた形態についてを説明した。以下、蓋２に設けられる空間部形成用突起の各種のパターンについて模式図を使って説明する。
【００３９】
実施例２
図７（ａ）の模式図に示したように、矩形ＡＢＣＤは実施例１の図２に示した蓋２（矩形の部分）を上方から視た場合の輪郭を示している。そして、三角形の頂点に配置された白ヌキの円が、前述の実施例１で説明した空間部形成用突起１４、１５に相当するものであり、また、該空間部形成用突起１４、１５は、蓋２の縦、横それぞれの外側端からの距離としての設定量が１／５〜１／３の矩形枠状の範囲内（図７では突起の中心部が１／５の位置）に少なくとも３個設けられている。
【００４０】
空間部形成用突起１４、１５は、これらの突起の中心が外側端から１／５の位置に相当し、突起の半分が外側端から１／５〜１／３の範囲内にあり、残りの半分は範囲外であるが、少なくとも突起の一部が１／５〜１／３の範囲内に入っておればよい。
【００４１】
また、図７（ｂ）に示すように、図７（ａ）で示した位置以外に、中心線Ｘ−Ｘの線対称の位置に空間部形成用突起を形成してよいことは勿論である。
また、図７（ａ）では３個の空間部形成用突起の中、２個の空間部形成用突起１４が蓋２の縦側面に平行に配置されているが、図８（ａ）、（ｂ）に示したように、２個の空間部形成用突起１４を蓋２の横側面に平行に配置してもよい。
【００４２】
実施例３
図９に示したように、空間部形成用突起１４は、蓋２の表面の縦、横の外側からの設定量が１／５〜１／３の矩形枠状の範囲内（図では突起の中心部が１／５の位置）に少なくとも４個設けた形態であり、この場合には、４個の各空間部形成用突起１４は矩形枠状の範囲内の四つの角部に設けられている。この形態によっても、実施例１、２で説明した３個の場合と同様に、積み重ねた又は並接したカセットが長辺方向、短辺方向に１／５〜１／３（図では１／５）の距離ずれたとしても、カセットとカセットとの間には空間部形成用突起１４の高さに相当する空間部Ｓが形成され、これによって薬液の流入・透過が横方向からも可能となるので、検体の薬液処理効果が一層効率的になるという効果が得られる。
【００４３】
実施例４
図１０及び図１１に示した形態は、前述の実施例２で説明した図７（ａ）及び図８（ａ）の蓋２の外側の四角の付近に、さらに空間部形成用突起１９を設けた形態である。この四角以外にもさらに必要に応じて増設してもかまわない。
このような形態にすれば、ずれ量の許容値をさらに増大することが可能であり、図１０の場合には、例えば縦方向にずれると想定すると、空間部形成用突起１５から外れるまで許容できるので、そのずれ量の最大値は略１／２（５０％）又はそれ以上となり、また、図１１の場合には、例えば横方向にずれると想定すると空間部形成用突起１５から外れるまで許容され、そのずれ量は前記同様に最大で略１／２（５０％）又はそれ以上となる。
【００４４】
以上のように、蓋２の表面の外側に三角形の頂点を形成する如く空間部形成用突起１４、１５を３カ所に設け、さらに蓋２の外側の四角の付近に空間部形成用突起１４を設けたことによってずれ量の許容値は大巾に拡大し、且つ設けられた空間部形成用突起の数が比較的少ないことにより、形成される空間部Ｓの間の流路抵抗が小さいので、横方向からの薬液の流入・透過が極めてスムーズな流れとなり、したがって、検体の薬液処理効果に優れた効果を発揮することができる。
【００４５】
実施例５
図１２に示したものは、前述の実施例３で説明した図９の形態において、蓋２の中心にさらに空間部形成用突起１９を１個設けた形態であり、これによっても前述同様にずれの許容値を略１／２に増大することが可能となる。
【００４６】
実施例６
図１３に示したように、空間部形成用突起１４は、蓋２の表面の縦、横の外側からの設定量が１／３の矩形枠状の範囲内（図では突起の中心部が１／３の位置）に少なくとも４個設けるとともに、縦の外周に６個の空間部形成用突起１９を設けた形態である。この形態によれば、積み重ねた又は並接したカセットが長辺方向、短辺方向に最大で１／２（５０％）又はそれ以上の距離ずれたとしても、カセットとカセットとの間には空間部形成用突起１４の高さに相当する空間部Ｓが形成され、これによって薬液の流入・透過が横方向からも可能となるので、検体の薬液処理効果が一層効率的になるという効果が得られる。
【００４７】
なお、本発明は蓋の表面の縦、横の外側からその長さの１／５〜１／３の矩形枠状の範囲内に少なくとも３個または４個の空間部形成用突起を設けたことを特徴とする医療検査用カセットであるが、上記実施例で示した如き形状のカセットに限られず、蓋とカセット本体とからなる全てのカセットに適用可能であることは云うまでもない。
【産業上の利用可能性】
【００４８】
本発明に係る医療検査用カセットは、積層、並接したカセットに相当大きなずれが生じても、蓋の上面に設けた空間部形成用突起からずれ落ちることがなく、従って、積み重ねられた上下のカセット間に又は並接された隣り同士のカセット間に均一な空間部を形成・維持することができ、薬液の透過性、拡散性、及び検体との接触性が飛躍的に高められ、均一且つ効率的な薬液処理が可能となり、検査精度を向上させることができる。
【図面の簡単な説明】
【００４９】
【図１】本発明の空間部形成用突起が設けられる矩形枠状の範囲を示す説明図で、（ａ）は３個の空間部形成用突起を設けた例を、（ｂ）は４個の空間部形成用突起を設けた例をそれぞれ示す。
【図２】本発明の実施例１におけるカセットを示す斜視図である。
【図３】同カセットの長さ方向の断面図である。
【図４】同カセットが長さ方向にずれた状態を示す側面図である。
【図５】同カセットが長さ方向に逆にずれた状態を示す側面図である。
【図６】同カセットが巾方向にずれた状態を示す側面図である。
【図７】（ａ）本発明の実施例２におけるカセットの蓋の矩形枠状の範囲内に空間部形成用突起を３個設けた場合を示す模式図である。（ｂ）同カセットの図７（ａ）と線対称に設けられた空間部形成用突起を示す模式図である。
【図８】（ａ）同カセットの蓋の矩形枠状の範囲内に空間部形成用突起を３個設けた場合の他の例を示す模式図である。（ｂ）同カセットの図８（ａ）と線対称に設けられた空間部形成用突起を示す模式図である。
【図９】本発明の実施例３におけるカセットの蓋の矩形枠状の範囲内に空間部形成用突起を４個設けた場合を示す模式図である。
【図１０】本発明の実施例４におけるカセットの蓋の矩形枠状の範囲内に３個、更に外側の四角付近に４個の空間部形成用突起を設けた場合を示す模式図である。
【図１１】同カセットの蓋の矩形枠状の範囲内に設けた３個の空間部形成用突起の位置を変えた場合を示す模式図である。
【図１２】本発明の実施例５におけるカセットの蓋の矩形枠状の範囲内に空間部形成用突起を４個設け、更にその中央付近に空間部形成用突起を１個設けた場合を示す模式図である。
【図１３】本発明の実施例６におけるカセットの蓋の矩形枠状の範囲内に空間部形成用突起を４個設け、更にその中央付近に空間部形成用突起を６個設けた場合を示す模式図である。
【図１４】従来のカセットの一例を示す断面図である。
【図１５】従来のカセットの他の例を示す斜視図である。
【図１６】同カセットが長さ方向にずれた状態を示す側面図である。
【図１７】同カセットが逆の長さ方向にずれた状態を示す側面図である。
【図１８】同カセットが巾方向にずれた状態を示す側面図である。
【符号の説明】
【００５０】
１  カセット本体
２  蓋
３  透孔
４  記録部
５  係止溝
６  係止部
７  透孔
８  リブ
９  傾斜状係止片
１０  突縁部
１１  係止片
１２  検体
１３  識別表示
１４  空間部形成用突起
１５  空間部形成用突起
１５Ａ  空間部形成用突起
１６  仕切壁
１７  横仕切壁
１９  空間部形成用突起
【図１】
2005083787.tif 000003
【図２】
2005083787.tif 000004
【図３】
2005083787.tif 000005
【図４】
2005083787.tif 000006
【図５】
2005083787.tif 000007
【図６】
2005083787.tif 000008
【図７】
2005083787.tif 000009
【図８】
2005083787.tif 000010
【図９】
2005083787.tif 000011
【図１０】
2005083787.tif 000012
【図１１】
2005083787.tif 000013
【図１２】
2005083787.tif 000014
【図１３】
2005083787.tif 000015
【図１４】
2005083787.tif 000016
【図１５】
2005083787.tif 000017
【図１６】
2005083787.tif 000018
【図１７】
2005083787.tif 000019
【図１８】
2005083787.tif 000020